(57)【要約】      （修正有）【課題】ポンプの高回転時に、ポンプ効率の犠牲を最少にしつつキャビテーションを防止すると共に、吐出ポート直近のエロージョンも防止可能にする。【解決手段】ハウジング底面１ａと、吐出ポート５との交差隅角部に切欠き面１４，１５を形成し、面１５の傾斜角θ2 を面１４の傾斜角θ1 よりも大きくする。高回転ポンプ作用時は、ポンプ室の圧力上昇がインナギアおよびアウタギアの回転に対して遅れ気味となる結果、ポンプ室の圧力が当初はあまり上昇しない。切欠き面１４によりポンプ室が吐出ポート５に連通し始めたところで、ポンプ室の圧力は、高圧になっている吐出ポート５からの流体流を受けて本格的な上昇を開始するが、面１４の傾斜角θ1 が小さいことから、連通度増大割合も低く、衝撃波を発生することがない。ポンプ室が面１５を通過する間は連通度増大割合が高くなるも、既に圧力上昇が進行していることから、衝撃波を生ずることがない。【選択図】図６
2005121032.tif 000002
【特許請求の範囲】
【請求項１】
ポンプハウジング内で回転駆動されるポンプ要素を具え、該ポンプ要素により画成されたポンプ室がポンプ要素の回転に伴い順次、吸入ポートおよび吐出ポートを通過してポンプ作用を生起するようにしたポンプにおいて、
前記ポンプ要素を軸線方向に支えるポンプハウジングの底面と吐出ポートとの交差隅角部を切り欠いて、前記ポンプ室が吐出ポートに到達する直前に該ポンプ室を吐出ポートに通じさせるための切欠き面を前記ポンプハウジングに形成し、
該切欠き面をポンプ要素回転方向に連なる複数の面で構成すると共に、これら構成面のポンプ要素回転面に対する傾斜角を吐出ポートに近いものほど大きくしたことを特徴とするポンプ。
【請求項２】
請求項１に記載のポンプにおいて、
前記切り欠き面を複数の平坦な面の組み合わせで構成したことを特徴とするポンプ。
【請求項３】
請求項１に記載のポンプにおいて、
前記切り欠き面を所定の曲率をもって延在する円弧面で構成したことを特徴とするポンプ。
【発明の詳細な説明】
【技術分野】
【０００１】
本発明は、自動変速機などの伝動機構に、潤滑や変速制御の目的で用いられるポンプの改良提案に関するものである。
【背景技術】
【０００２】
これらの用途に用いられるポンプとしては、内接歯車ポンプを初めとして、その他、外接歯車ポンプや、ロータリーベーンポンプなど、種々の型式のものが知られている。
【０００３】
内接歯車ポンプを例にとって説明するとこれは、特許文献1に記載されているように構成する。
つまり図７および図８に示すように、ポンプハウジング１内にアウタギア２を回転自在に収納して具え、該アウタギアの内部に偏心配置されてその内歯に噛合するインナギア３を設ける。
そして、インナギア３とアウタギア２との間の非噛合隙間に、これらギアを軸線方向に支えるポンプハウジング１の底面１ａから突出したクレッセント４を介在させ、これによりポンプ効率を高める。
【０００４】
ポンプ作用に当たっては、インナギア３を図７に矢印で示す方向へ回転駆動し、アウタギア２を同じく矢印で示す方向へ回転させる。
この回転に伴って、インナギア３およびアウタギア２の歯溝により画成される各ポンプ室は順次、ギア回転方向遅れ側におけるクレッセント４の端部近くにおいてポンプハウジング１に形成した吸入ポート（図示せず）、およびギア回転方向進み側におけるクレッセント４の端部近くにおいてポンプハウジング１に形成した吐出ポート（図８に５で示す）を通過し、
各ポンプ室は吸入ポート通過時にこれから流体を補給され、吐出ポート５に連通する時これに流体を吐出して、所定のポンプ作用を行う。
【０００５】
かかるポンプ作用中、インナギア３およびアウタギア２の回転速度が低い低回転時は、インナギア３およびアウタギア２の歯溝（ポンプ室）の圧力が時間的な余裕もあって吸入ポートから吐出ポートに向かうにつれて着実に上昇し、問題を生ずることがないものの、
インナギア３およびアウタギア２の回転速度が速い高回転時は、歯溝（ポンプ室）の圧力上昇がインナギア３およびアウタギア２の回転に対して遅れ気味となる結果、歯溝（ポンプ室）の先行歯がクレッセント４を通過して歯溝（ポンプ室）を吐出ポート５に連通し始めた時、高圧になっている吐出ポート５から歯溝（ポンプ室）への急激な流体の流れを発生させ、所謂キャビテーションに伴うノイズや、エロージョン（壊食）の問題が生ずるのを免れなかった。
【０００６】
これがため従来、特許文献1にも記載されているが、図７および図８に示すように、吐出ポート５に近いクレッセント４の突出隅角部を切り欠いて切欠き面６を設定し、歯溝（ポンプ室）の先行歯がクレッセント４を通過し終える前から歯溝（ポンプ室）を吐出ポート５に通じさせ始め、その後に連通開度を徐々に増大させるようにし、
これにより、高回転時における上記キャビテーションノイズや、エロージョン（壊食）の問題を解消することを狙った技術思想が提案されている。
【特許文献１】特開平７−１５１０６５号公報
【発明の開示】
【発明が解決しようとする課題】
【０００７】
しかし、かかる従来の対策によってもなお、以下に説明する問題があることを確かめた。
つまり、クレッセント４の吐出ポート側の端部における突出隅角部に単一の切欠き面６を設けるというだけでは、当該切欠き面のギア回転方向における長さＷを長くするとポンプ効率の低下を招くためにこれを長くするには限界があり、かかる制約の上で、切欠き面６が略クレッセント４の全高に及ぶようにするには、インナギア３およびアウタギア２の回転面に対する欠き面６の傾斜角θを大きくせざるを得ない。
【０００８】
この場合、インナギア３およびアウタギア２の歯溝（ポンプ室）の圧力は、歯溝の先行歯が順次、図７にＤで示すクレッセント進入位置から、同図にＥで示すクレッセント通過位置を経て、同図にＦで示すクレッセント退出位置を通過する過程を追って説明すると、
低回転時、圧力上昇に時間的な余裕があることから、図９にａによって示すごとくＤ〜Ｆ間のクレッセント域でも徐々に上昇するが、
高回転時は同図にｂで示すごとく、圧力上昇が間に合わず、Ｅ位置に至って始めて圧力が上昇し始める。
そしてＥ位置以後、傾斜角θの上記大きさ故に、インナギア３およびアウタギア２の歯溝（ポンプ室）の圧力は急激に上昇して衝撃波を発生し、キャビテーションノイズや、エロージョン（壊食）の問題を解消するといった目的を達成することができない。
【０００９】
従って、インナギア３およびアウタギア２の回転面に対する欠き面６の傾斜角θは、図８に示すように欠き面６がクレッセントの全高に及ばないこととなっても、或る程度小さくすることが不可欠である。
ところでこの場合、当該傾斜角θに応じた図８にαで示す領域におけるキャビテーションノイズや、エロージョン（壊食）は回避することができるも、これより吐出ポート５に近い領域βにおけるキャビテーションノイズや、エロージョン（壊食）を回避することができない。
付言すれば、従来の対策では如何にしても、吐出ポート５に近い領域βにおけるキャビテーションの問題をも確実に生じなくすることができなかった。
【００１０】
請求項１に記載の第１発明は、切欠き面の長さに制約があっても、吐出ポートに近い領域まで確実にキャビテーションの問題を生じなくし得るようにしたポンプを提案することを目的とする。
【００１１】
請求項２に記載の第２発明は、第１発明を安価に実現するポンプの構成を提案することを目的とする。
【００１２】
請求項３に記載の第３発明は、第１発明の目的を一層きめ細かく実現するポンプの構成を提案することを目的とする。
【課題を解決するための手段】
【００１３】
これらの目的のため、先ず第１発明は、
ポンプハウジング内で回転駆動されるポンプ要素を具え、該ポンプ要素により画成されたポンプ室がポンプ要素の回転に伴い順次、吸入ポートおよび吐出ポートを通過してポンプ作用を生起するようにしたポンプにおいて、
前記ポンプ要素を軸線方向に支えるポンプハウジングの底面と吐出ポートとの交差隅角部を切り欠いて、前記ポンプ室が吐出ポートに到達する直前に該ポンプ室を吐出ポートに通じさせるための切欠き面を前記ポンプハウジングに形成し、
該切欠き面をポンプ要素回転方向に連なる複数の面で構成すると共に、これら構成面のポンプ要素回転面に対する傾斜角を吐出ポートに近いものほど大きくしたことを特徴とするものである。
【００１４】
第２発明のポンプは、上記第１発明において、
前記切り欠き面を複数の平坦な面の組み合わせで構成したことを特徴とするものである。
【００１５】
第３発明のポンプは、上記第１発明において、
前記切り欠き面を所定の曲率をもって延在する円弧面で構成したことを特徴とするものである。
【発明の効果】
【００１６】
ポンプ要素をポンプハウジング内で回転駆動させると、ポンプ要素により画成されたポンプ室が順次、吸入ポートおよび吐出ポートを通過してポンプ作用を行うことができる。
ところで第１発明においては、ポンプ室が吐出ポートに到達する直前に、ポンプハウジングの切欠き面が当該ポンプ室を吐出ポートに通じさせ、ポンプ室を前もって圧力上昇させる。
【００１７】
そして上記切欠き面を、ポンプ要素回転方向に連なる複数の面で構成すると共に、これら構成面のポンプ要素回転面に対する傾斜角を吐出ポートに近いものほど大きくしたことから、
上記の圧力上昇を、高回転時であっても徐々に行わせることができて、キャビテーションノイズや、エロージョン（壊食）の問題を解消することができると共に、
切欠き面のポンプ要素回転方向における長さに制約があっても、吐出ポートに近い領域まで確実に当該問題解決を実現し得るように切欠き面を形成することができる。
【００１８】
第１発明においては更に、上記切欠き面の形成に際し、上記ポンプ要素を軸線方向に支えるポンプハウジングの底面と吐出ポートとの交差隅角部を切り欠いて当該切欠き面を形成したことから、
クレッセントを持たない内接歯車ポンプや、その他、歯車ポンプに限らず、ロータリベーンポンプ等のあらゆるポンプに対し本発明の着想を適用して所期の目的を達成することができる。
【００１９】
第２発明においては、上記切り欠き面を複数の平坦な面の組み合わせにより構成したため、当該切欠き面の加工が容易で、安価に第１発明の目的を達成することができる。
【００２０】
第３発明においては、上記切り欠き面を所定の曲率をもって延在する円弧面で構成したから、第１発明の目的を一層きめ細かく実現して如何なる要求にも応えることができる。
【発明を実施するための最良の形態】
【００２１】
以下、本発明の実施の形態を図面に示す実施例に基づき詳細に説明する。
図１乃至図４は、本発明の参考例になる自動変速機用の内接歯車ポンプで、図中、図７および図８におけると同様の部分を同一符号にて示す。
図１および図２に明示するように、ポンプハウジング１内にアウタギア２を回転自在に収納して設け、このアウタギアの内部に偏心配置されてその内歯に噛合するインナギア３を設け、これらのポンプ要素を、ポンプハウジング１の開口部に被せて取着したポンプカバー７でポンプハウジング１内に封入する。
【００２２】
インナギア３とアウタギア２との間の非噛合隙間に、これらギアを軸線方向に支えるポンプハウジング１の底面１ａから突出したクレッセント４を介在させ、これにより、後述のポンプ作用中における効率を高めるようにする。
【００２３】
ポンプハウジング１には更に、図３に明示するように吐出ポート５および吸入ポート８を形成し、吐出ポート５をインナギア３およびアウタギア２間の吐出域と、ポンプハウジング１の外部との間に延在させ、吸入ポート８をインナギア３およびアウタギア２間の吸入域と、ポンプハウジング１の外部との間に延在させる。
【００２４】
そして図３および図４に明示するように、吐出ポート５に近いクレッセント４の端部における突出隅角部を切り欠いて２個の平坦面９，１０よりなる切欠き面を形成し、これにより、インナギア３およびアウタギア２の歯溝により画成されるポンプ室を、吐出ポート５に到達する直前から吐出ポート５に通じさせるようにする。
ここで、インナギア３およびアウタギア２の回転方向（クレッセント４の長手方向）における切欠き面９，１０の長さＷは、当該切り欠き面の形成によるポンプ効率の低下が問題にならない範囲で最も長い値とし、この長さＷを適切に配分して決めた長さＷ1 の範囲に平坦切欠き面９を、また、長さＷ2 の範囲に平坦切欠き面１０をそれぞれ延在させる。
【００２５】
しかして、後者の平坦切欠き面１０はいずれにしても、ポンプハウジング底面１ａの近くまで、つまり、クレッセント４の略全高に亘り延在させ、
インナギア３およびアウタギア２の回転面に対する平坦切欠き面９および平坦切欠き面１０の傾斜角θ1 ，θ2 は、吐出ポート５に近い平坦切欠き面１０の傾斜角θ2 の方が平坦切欠き面９の傾斜角θ1 よりも大きくなるように決定することとする。
【００２６】
ポンプ作用に当たっては、インナギア３を図１に矢印で示す方向へ回転駆動し、アウタギア２を同じく矢印で示す方向へ回転させる。
この回転に伴って、インナギア３およびアウタギア２の歯溝により画成される各ポンプ室は順次、ギア回転方向遅れ側におけるクレッセント４の端部近くにおいてポンプハウジング１に形成した吸入ポート８、およびギア回転方向進み側におけるクレッセント４の端部近くにおいてポンプハウジング１に形成した吐出ポート５を通過する。
これにより各ポンプ室は吸入ポート８に通過する時これから流体を補給され、吐出ポート５に連通する時これに流体を吐出して、所定のポンプ作用を行う。
【００２７】
かかるポンプ作用中、インナギア３およびアウタギア２の回転速度が低い低回転時なら、切欠き面９，１０の設置がなくても、インナギア３およびアウタギア２の歯溝（ポンプ室）の圧力は時間的な余裕があることから、図９にａで示すように吸入ポート８から吐出ポート５に向かうにつれて着実に上昇し、キャビテーションに伴うノイズや、エロージョン（壊食）の問題を生ずることがない。
【００２８】
ここで、インナギア３およびアウタギア２の回転速度が速い高回転時のポンプ作用について説明するに、この高回転時は、歯溝（ポンプ室）の圧力上昇がインナギア３およびアウタギア２の回転に対して遅れ気味となる結果、歯溝（ポンプ室）の先行歯が図３のＤ位置からＥ位置に達するまでの間は、図９にｃで示すように歯溝（ポンプ室）の圧力があまり上昇し得ない。
そして、歯溝（ポンプ室）の先行歯が図３のＥ位置を通過することで切欠き面９により歯溝（ポンプ室）が吐出ポート５に連通し始めたところで該歯溝（ポンプ室）の圧力は、高圧になっている吐出ポート５からの流体流を受けて図９にｃで示すごとくに本格的な上昇を開始する。
【００２９】
ところで、切欠き面９の傾斜角θ1 が小さいことから、歯溝（ポンプ室）の吐出ポート５に対する連通度増大割合も低く、当該歯溝（ポンプ室）の圧力上昇は図９にｃで示すように比較的ゆるやかなものとなる。
従って、歯溝（ポンプ室）に衝撃波が発生することがなくて、キャビテーションノイズや、図４の対応領域αにおけるエロージョン（壊食）の発生を解消することができる。
【００３０】
そして、歯溝（ポンプ室）の先行歯が切欠き面１０を通過している間はその傾斜勾配θ2 の大きさ故に、歯溝（ポンプ室）の吐出ポート５に対する連通度増大割合が高くなるも、既に当該歯溝（ポンプ室）の圧力上昇が進行していることから、歯溝（ポンプ室）に衝撃波を生ずることはなく、
その内部圧力は以後も図９にｃで示すように滑らかに上昇して、キャビテーションに伴うノイズや、図４の対応領域βにおけるエロージョン（壊食）の発生を解消することができる。
【００３１】
ところで、吐出ポート５に近い側の切欠き面１０の傾斜角θ2 を他方の切欠き面９の傾斜角θ1よりも大きくしたから、
これら切り欠き面の形成長さＷに前記の制約があっても、歯溝（ポンプ室）の内部圧力を図９にｃで示すように滑らかに上昇させ得る切欠き面９，１０の傾斜角でありながら、切欠き面９，１０をクレッセント４の略全高に亘って延在させ得て、吐出ポート５に極く近い図４の領域βのエロージョン（壊食）も確実に防止することができる。
【００３２】
なお、上記した参考例においては、クレッセント４に設ける切欠き面を２個の平坦切欠き面９，１０で構成したが、
図５に示すように３個の平坦切欠き面１１，１２，１３で構成してもよいし、勿論それよりも多くの平坦切欠き面で構成することができる。
そして、平坦切欠き面１１，１２，１３を３個以上にする場合、その数が多いほど歯溝（ポンプ室）の圧力上昇が滑らかになると共に、前記実施の形態で説明した作用効果を一層きめ細かく達成することができる。
【００３３】
更に図示はしなかったが、クレッセント４に設ける切欠き面を平坦切欠き面で構成する代わりに、所定の曲率で延在する円弧面で構成してもよい。
この場合、切欠き面の形成が平坦切欠き面ほど容易ではないが、その反面、歯溝（ポンプ室）の圧力上昇を究極的に滑らかにし得ると共に、前記実施の形態で説明した作用効果を究極的にきめ細かく達成することができる。
【００３４】
また上記の参考例ではいずれも、クレッセント４が存在するポンプを前提とし、当該クレッセント４に、平坦切欠き面９，１０（１１，１２，１３）で構成される切欠き面や、円弧面で構成される切欠き面を設けることとしたから、クレッセント４が存在しないポンプにあっては、上記した本発明の着想を適用できない。
【００３５】
本発明は、上記したクレッセント４が存在しないポンプであっても、同様の考え方により同様に所期の目的を達成することができるようにしたものである。
かようにクレッセント４が存在しないポンプにあっては、図６に一実施例を示すように、
インナギア３およびアウタギア２を軸線方向に支持するポンプハウジング底面１ａと、吐出ポート５との交差隅角部を切り欠いて２個の平坦切欠き面１４，１５を形成し、吐出ポート５に近い平坦切欠き面１５の傾斜角θ2 を他方の平坦切欠き面１４の傾斜角θ1 よりも大きくする。
この場合も、歯溝（ポンプ室）の先行歯が平坦切欠き面１４から平坦切欠き面１５に向かう間、歯溝（ポンプ室）が吐出ポート５に対して徐々に開度を増大されることから、また、平坦切欠き面１４，１５の傾斜角θ1 ，θ2 の間に、θ2＞θ1 の関係があることから、前記各参考例におけると同様の作用効果を達成することができる。
【００３６】
つまり、前記したポンプ作用中、インナギア３およびアウタギア２の回転速度が低い低回転時なら、切欠き面１４，１５の設置がなくても、インナギア３およびアウタギア２の歯溝（ポンプ室）の圧力は時間的な余裕があることから、図９にａで示すように吸入ポート８から吐出ポート５に向かうにつれて着実に上昇し、キャビテーションに伴うノイズや、エロージョン（壊食）の問題を生ずることがない。
【００３７】
ここで、インナギア３およびアウタギア２の回転速度が速い高回転時のポンプ作用について説明するに、この高回転時は、歯溝（ポンプ室）の圧力上昇がインナギア３およびアウタギア２の回転に対して遅れ気味となる結果、歯溝（ポンプ室）の先行歯が図３のＤ位置からＥ位置に達するまでの間は、図９にｃで示すように歯溝（ポンプ室）の圧力があまり上昇し得ない。
そして、歯溝（ポンプ室）の先行歯が図３のＥ位置を通過することで切欠き面１４により歯溝（ポンプ室）が吐出ポート５に連通し始めたところで該歯溝（ポンプ室）の圧力は、高圧になっている吐出ポート５からの流体流を受けて図９にｃで示すごとくに本格的な上昇を開始する。
【００３８】
ところで、切欠き面１４の傾斜角θ1 が小さいことから、歯溝（ポンプ室）の吐出ポート５に対する連通度増大割合も低く、当該歯溝（ポンプ室）の圧力上昇は図９にｃで示すように比較的ゆるやかなものとなる。
従って、歯溝（ポンプ室）に衝撃波が発生することがなくて、キャビテーションノイズや、対応領域（図４の領域αに相当）におけるエロージョン（壊食）の発生を解消することができる。
【００３９】
そして、歯溝（ポンプ室）の先行歯が切欠き面１５を通過している間はその傾斜勾配θ2 の大きさ故に、歯溝（ポンプ室）の吐出ポート５に対する連通度増大割合が高くなるも、既に当該歯溝（ポンプ室）の圧力上昇が進行していることから、歯溝（ポンプ室）に衝撃波を生ずることはなく、
その内部圧力は以後も図９にｃで示すように滑らかに上昇して、キャビテーションに伴うノイズや、対応領域（図４の領域βに相当）におけるエロージョン（壊食）の発生を解消することができる。
【００４０】
なお上記した実施例においては、ポンプハウジング底面１ａと、吐出ポート５との交差隅角部を切り欠いて２個の平坦切欠き面１４，１５を形成したから、図１乃至図５の参考例に示すようなクレッセント４を持たないポンプに対して本発明の着想を適用して、上記のように参考例におけると同様な作用効果を達成することができる。
ところで上記実施例では、上記の作用効果を達成するための切欠き面を２個の平坦切欠き面１４，１５で構成したが、
図５の参考例におけると同様に３個の平坦切欠き面で構成してもよいし、勿論それよりも多くの平坦切欠き面で構成することができる。
そして、平坦切欠き面を３個以上にする場合、その数が多いほど歯溝（ポンプ室）の圧力上昇が滑らかになると共に、前記実施の形態で説明した作用効果を一層きめ細かく達成することができる。
【００４１】
更に図示はしなかったが、ポンプハウジング底面１ａと、吐出ポート５との交差隅角部を切り欠いて設ける切欠き面を平坦切欠き面で構成する代わりに、所定の曲率で延在する円弧面で構成してもよい。
この場合、切欠き面の形成が平坦切欠き面ほど容易ではないが、その反面、歯溝（ポンプ室）の圧力上昇を究極的に滑らかにし得ると共に、前記実施の形態で説明した作用効果を究極的にきめ細かく達成することができる。
【図面の簡単な説明】
【００４２】
【図１】本発明の一参考例になる自動変速機用のオイルポンプを示す、一部破断正面図である。
【図２】図１のＡ−Ａ線上で断面とし、矢の方向に見て示す自動変速機用オイルポンプの断面図である。
【図３】同オイルポンプのポンプハウジングを、内部からインナギアおよびアウタギアが除去された状態で示す正面図である。
【図４】図３のＢ−Ｂ線上で断面とし、矢の方向に見てクレッセントの要部を示すポンプハウジングの要部断面図である。
【図５】本発明の他の参考例を示す、図４と同様なポンプハウジングの要部断面図である。
【図６】本発明の一実施例になるポンプを示す、図４と同様なポンプハウジングの要部断面図である。
【図７】従来の自動変速機用オイルポンプの内部を、ポンプカバーが除去された状態で示す正面図である。
【図８】図７のＣ−Ｃ線上で矢の方向に見て示す、ポンプハウジングの詳細断面図である。
【図９】本発明により構成した内接歯車ポンプにおけるギア歯回転位置と、歯溝内における圧力との関係を、従来型オイルポンプのそれと比較して示す動作タイムチャートである。
【符号の説明】
【００４３】
１  ポンプハウジング
２  アウタギア
３  インナギア
４  クレッセント
５  吐出ポート
７  ポンプカバー
８  吸入ポート
９  平坦切欠き面
10  平坦切欠き面
11  平坦切欠き面
12  平坦切欠き面
13  平坦切欠き面
14  平坦切欠き面
15  平坦切欠き面
【図１】
2005121032.tif 000003
【図２】
2005121032.tif 000004
【図３】
2005121032.tif 000005
【図４】
2005121032.tif 000006
【図５】
2005121032.tif 000007
【図６】
2005121032.tif 000008
【図７】
2005121032.tif 000009
【図８】
2005121032.tif 000010
【図９】
2005121032.tif 000011